(57)【要約】  【課題】  収容する小物が少ない場合には嵩張ることがなく、収容する小物が多い場合には目当ての小物を取り出すことが容易なウエストポーチを提供する。  【解決手段】  ウエストポーチ１０は、物品を収容する開口２を備えた袋状のポーチ本体１と、ポーチ本体１の両端部に一方の端部が取り付けられた２本のベルト３ａ、３ｂと、この２本のベルト３ａ、３ｂの他方の端部に取り付けられた係止具４ａ、４ｂとを有している。また、ポーチ本体１は、ベルト３ａ、３ｂの長手方向に対して平行な方向に、開口２を塞ぐファスナー５が設けられていると共に、ベルト３ａ、３ｂの長手方向に対して直交する方向に伸縮可能な伸縮部材６ａ、６ｂ、６ｃが、所定の間隔を有して３個備えられている。【選択図】図２
2014061018.tif 000002
【特許請求の範囲】
【請求項１】
物品を収容する開口を備えた袋状のポーチ本体と、該ポーチ本体の両端部に一方の端部が取り付けられた２本のベルトと、該２本のベルトの他方の端部に取り付けられた係止具とを有するウエストポーチにおいて、
前記ポーチ本体は、前記ベルトの長手方向に対して平行な方向に、前記開口を塞ぐファスナーが設けられていると共に、前記ベルトの長手方向に対して直交する方向に伸縮可能な伸縮部材が、所定の間隔を有して複数個備えられており、
前記伸縮部材の長手方向の一方の端部が前記ファスナーの一方の縁部近傍に固定され、前記伸縮部材の長手方向の他方の端部が前記ファスナーの他方の縁部近傍に固定されていることを特徴とするウエストポーチ。
【請求項２】
前記ファスナーの縁部には、光反射部材が固定されていることを特徴とする請求項１に記載のウエストポーチ。
【請求項３】
前記ファスナーは、前記ポーチ本体の上部に設けられた開口を塞ぐように設けられていることを特徴とする請求項１又は２に記載のウエストポーチ。
【請求項４】
前記袋状のポーチ本体の両方の底部の角部が、前記ファスナー方向に折り曲げられて固定されていることを特徴とする請求項３に記載のウエストポーチ。
【発明の詳細な説明】
【技術分野】
【０００１】
本発明は、主に使用者の胴部に着用するための係止具を備えたベルトと、財布や携帯電話等の小物を収容することができるポーチとを備えたウエストポーチに関するものである。
【背景技術】
【０００２】
従来から、ウエストポーチにおいて、開口を塞ぐファスナーを上部に設けると共に、できるだけ多くの小物をポーチ内部に収容できるように、伸縮自在の蛇腹部を着用者の胴部とは反対側に設けたものが知られている（特許文献１）。
また、弾性材料からなるポーチの開口を塞ぐファスナーを表側中央に設け、該ファスナーとは反対側の袋部を、ベルトの背部側で折り畳むようにして、収容する小物が少ない場合に嵩張らないように工夫したウエストポーチも知られている（特許文献２）。
【先行技術文献】
【特許文献】
【０００３】
【特許文献１】実開昭６３−１１７３１４号公報
【特許文献２】特許第４９２９４９９号公報
【発明の概要】
【発明が解決しようとする課題】
【０００４】
しかしながら、上記特許文献１及び２に記載の発明は、いずれも複数の小物をポーチに収容した場合にポーチ内部で混ざり合うため、暗闇や、自転車走行中などポーチ内部を覗くことが出来ず、手探りで小物を取り出す場合には、一回で目当ての小物を取り出すことは容易ではなかった。
【０００５】
本発明は上記点に鑑み、収容する小物が少ない場合には嵩張ることがなく、収容する小物が多い場合には目当ての小物を取り出すことが容易なウエストポーチを提供することを目的とする。
【課題を解決するための手段】
【０００６】
請求項１の発明では、物品を収容する開口を備えた袋状のポーチ本体と、該ポーチ本体の両端部に一方の端部が取り付けられた２本のベルトと、該２本のベルトの他方の端部に取り付けられた係止具とを有するウエストポーチにおいて、前記ポーチ本体は、前記ベルトの長手方向に対して平行な方向に、前記開口を塞ぐファスナーが設けられていると共に、前記ベルトの長手方向に対して直交する方向に伸縮可能な伸縮部材が、所定の間隔を有して複数個備えられており、前記伸縮部材の長手方向の一方の端部が前記ファスナーの一方の縁部近傍に固定され、前記伸縮部材の長手方向の他方の端部が前記ファスナーの他方の縁部近傍に固定されていることを特徴としている。複数の伸縮部材は、ポーチ本体を嵩張らせずにコンパクトな形状にすることができると共に、ポーチ本体内部において間仕切りの機能を果たすことができるので、複数の小物を収容する場合に、ポーチ本体内部で混ざることがなく、目当ての小物を容易に取り出すことができる。
【０００７】
請求項２の発明では、請求項１の発明において、前記ファスナーの縁部には、光反射部材が固定されていることを特徴としている。光反射部材がファスナーの縁部に固定されていることによって、暗闇の中でもわずかな光でファスナーの位置がわかるので、ファスナーの開閉を容易に行うことができ、小物の収容及び取り出しが時間をかけずに行うことができる。また、ウエストポーチの着用者が夜間に歩道を歩いていたり、自転車に乗っていたりする場合には、自動車のヘッドライトによって光反射部材が光ることによって気付かせることができ、交通安全に寄与することができる。
【０００８】
請求項３の発明では、請求項１又は２の発明において、前記ファスナーは、前記ポーチ本体の上部に設けられた開口を塞ぐように設けられていることを特徴としている。ファスナーをポーチ本体の上部に設けることによって、ファスナーを開けた時に重力によって小物が飛び出すのを防ぐことができる。
【０００９】
請求項４の発明では、請求項３の発明において、前記袋状のポーチ本体の両方の底部の角部が、前記ファスナー方向に折り曲げられて固定されていることを特徴としている。底部の角部をファスナーが位置するポーチ本体の上部側に折り曲げて固定することによって、ポーチ本体に収容する小物がない場合や少ない場合においてもポーチ本体が大きくなることなく、コンパクトにして、使用者の胴周りにフィットさせることができる。
【発明の効果】
【００１０】
請求項１の発明では、ポーチ本体を嵩張らせずにコンパクトな形状にすることができると共に、複数の小物がポーチ本体内部で混ざることを防ぎ、目当ての小物を容易に取り出すことができる。また、請求項２の発明では、暗闇におけるファスナーの開閉を容易にすることができる。また、請求項３の発明では、ファスナーを開けた時に重力によって小物が飛び出すのを防ぐことができる。また、請求項４の発明では、ポーチ本体に収容する小物がない場合や少ない場合においてもポーチ本体が大きくなることなく、使用者の胴周りにフィットさせることができる。
【図面の簡単な説明】
【００１１】
【図１】本発明に係るウエストポーチの正面図。
【図２】本発明に係るウエストポーチのファスナーを開けた状態の平面図。
【図３】本発明に係るウエストポーチに携帯電話を収容した状態の平面図。
【図４】本発明に係るウエストポーチの一部を拡大した正面図。
【発明を実施するための形態】
【００１２】
次に、本発明の実施形態を図面に基づいて説明する。図１は、本発明に係るウエストポーチの正面図であり、図２は、本発明に係るウエストポーチのファスナーを開けた状態を示す平面図である。ウエストポーチ１０は、物品を収容する開口２を備えた袋状のポーチ本体１と、ポーチ本体１の両端部に一方の端部が取り付けられた２本のベルト３ａ、３ｂと、この２本のベルト３ａ、３ｂの他方の端部に取り付けられた係止具４ａ、４ｂとを有している。尚、２本のベルト３ａ、３ｂは、長手方向に伸縮可能な材質のものを使用するのが好ましい。
【００１３】
係止具４ａには、係止具４ｂが挿入される挿入孔４１ａと、係止具４ｂに形成されている２つの係止部４１ｂ、４１ｂを突出させる２つの係止孔４２ａ、４２ａとを備えている。そして、ウエストポーチ１０を使用者の胴周りに着用する時には、ポーチ本体１を使用者の腹付近に位置させ、背中側で係止具４ａの挿入孔４１ａに係止具４ｂの係止部４１ｂ、４１ｂを挿入して、この係止部４１ｂ、４１ｂが、係止孔４２ａ、４２ａから突出することによって、係止具４ｂが係止具４ａに係止される。ここで、２本のベルト３ａ、３ｂが長手方向に伸縮可能な材質のものを使用することによって、ウエストポーチ１０を使用者の胴周りにフィットさせることができる。
【００１４】
また、ベルト３ａ、３ｂの端部を固定する固定棒とベルト３ａ、３ｂの中間部を挿入することができる２つの調節穴とを備えた調節具１３ａ、１３ｂを介在させることによって、ベルト３ａ、３ｂの長さを自由に調節することができる。そして、使用者の胴周りからウエストポーチ１０を取り外す場合には、係止具４ｂの係止部４１ｂ、４１ｂを指で係止孔４２ａ、４２ａ側に押しつつ、係止具４ａを係止具４ｂから離れる方向に引っ張ることによって、係止具４ａと係止具４ｂの係止が解除されて、ウエストポーチ１０を使用者の胴周りから取り外すことができる。
【００１５】
また、ポーチ本体１には、ベルト３ａ、３ｂの長手方向に対して平行な方向に、開口２を塞ぐファスナー５が縫い付けられていると共に、ベルト３ａ、３ｂの長手方向に対して直交する方向に伸縮可能な伸縮部材６ａ、６ｂ、６ｃが、所定の間隔を有して３個縫い付けられている。尚、図面上、伸縮部材６ａ、６ｂ、６ｃを３個設置した例を示しているが、本発明は、これに限定されるものではなく、２個以上の複数個の伸縮部材がポーチ本体１に設置されていればよいものである。また、ファスナー５は、ベルト３ａ、３ｂの長手方向に対して平行な方向に伸縮しない材質のものを使用することによって、ポーチ本体１がベルト３ａ、３ｂの長手方向に対して平行な方向に拡張することを抑制することができる。
【００１６】
ここで、ベルト３ａ、３ｂの長手方向とは、係止具４ａ、４ｂが係止されていない状態で、ベルト３ａ、３ｂを直線上に、平らに並べた状態における係止具４ａと係止具４ｂとを結ぶ直線の方向によって定義することができる。また、ベルト３ａ、３ｂの長手方向に対して直交する方向とは、上記係止具４ａと係止具４ｂとを結ぶ直線に対して垂直な方向によって定義することができる。
【００１７】
また、伸縮部材６ａ、６ｂ、６ｃは、ゴム、ギャザーテープ等の伸縮性を有する部材であればよく、糸にてポーチ本体１に縫い付けて固定することができるものが好ましい。
【００１８】
また、伸縮部材６ａ、６ｂ、６ｃの長手方向の一方の端部６０ａ、６０ｂ、６０ｃがファスナー５の一方の縁部５ａ近傍に固定され、伸縮部材６ａ、６ｂ、６ｃの長手方向の他方の端部６１ａ、６１ｂ、６１ｃがファスナー５の他方の縁部５ｂ近傍に固定されている。尚、図面上、伸縮部材６ａ、６ｂ、６ｃは、ポーチ本体１の内側の面に縫い付けられて固定されているものであるが、ポーチ本体１の外側の面に縫い付けられて固定されているものであってもよいものである。
【００１９】
本発明に係るウエストポーチ１０は、上述のように構成されているので、ポーチ本体１に小物が収容されていない状態では、図１に示すように、ポーチ本体１の外側の面は、伸縮部材６ａ、６ｂ、６ｃが設置されている位置に、ベルト３ａ、３ｂの長手方向に対して直交する方向に山部と谷部とが交互に形成された伸縮可能な蛇腹部７ａ、７ｂ、７ｃが形成されて縮んだ状態となっている。そして、物品をポーチ本体１に収容する場合には、ベルト３ａ、３ｂの長手方向に対して直交する方向、即ち、ベルト３ａ、３ｂの長手方向の軸を中心とした半径方向に、蛇腹部７ａ、７ｂ、７ｃが拡張してペットボトルのような大容量の物もポーチ本体１に収容することができる構成となっている。
【００２０】
また、蛇腹部７ａ、７ｂ、７ｃの間にも、ベルト３ａ、３ｂの長手方向に対して直交する方向に山部と谷部とが交互に形成された蛇腹部８ａ、８ｂが形成される。この蛇腹部８ａ、８ｂは、ポーチ本体１に伸縮可能な生地を使用することにより、ベルト３ａ、３ｂの長手方向に対して直交する方向に伸縮可能となり、ポーチ本体１に小物が収容されていない状態では、図１に示すように、縮んだ状態となっている。そして、物品をポーチ本体１に収容する場合には、ベルト３ａ、３ｂの長手方向に対して直交する方向、即ち、ベルト３ａ、３ｂの長手方向の軸を中心とした半径方向に、蛇腹部８ａ、８ｂが拡張してペットボトルのような大容量の物もポーチ本体１に収容することができる構成となっている。尚、ポーチ本体１の生地の伸縮性は、伸縮部材６ａ、６ｂ、６ｃの伸縮性よりも小さいものを使用するのが好ましい。
【００２１】
また、ファスナー５の周囲の縁部には光反射部材９が固定されている。この光反射部材９は夜間に自動車のヘッドライトが当たると光を反射することから、ウエストポーチの着用者が夜間に歩道を歩いていたり、自転車に乗っていたりする場合には、光反射部材９が光ることによって気付かせることができ、交通安全に寄与することができる。また、暗闇の中でもわずかな光でファスナーの位置がわかるので、ファスナーの開閉を容易に行うことができ、小物の収容及び取り出しが時間をかけずに行うことができる。
【００２２】
図３は、本発明に係るウエストポーチに携帯電話２０を収容した状態を示す平面図である。この図に示すように、ウエストポーチ１０のポーチ本体１は、伸縮部材６ａ、６ｂ、６ｃが、所定の間隔を有して備えられているので、伸縮部材間に携帯電話２０を収容することができる。即ち、伸縮部材６ａ、６ｂ、６ｃが、ポーチ本体１に収容する小物の間仕切りをする機能を果たすことができるのである。
【００２３】
したがって、ポーチ本体１に所定の間隔をおいて３個の伸縮部材６ａ、６ｂ、６ｃを設置した場合には、４つの収容空間が形成されることとなる。この４つの収容空間に、携帯電話２０や、財布、デジタルカメラ、薬箱等の小物を分けて収容することができる。また、ポーチ本体１に伸縮性を有する生地を使用することによって、ポーチ本体１に収容された小物が、収容空間の中でポーチ本体１の生地に密着することとなり、余分な隙間が形成されるのを防ぐことができることから、振動等によって、ポーチ本体１内で小物が移動するのを制限することができ、収容された小物同士の接触を軽減させることができる。
【００２４】
また、間仕切りされた収容空間内で小物が固定され、小物同士が混ざり合うことがないので、目当ての小物をポーチ本体１の開口２から容易に取り出すことができる。尚、ペットボトルのような大容量の物品は、横置きにして、間仕切りされた４つの収容空間全部を使用して、ポーチ本体１に収容することができる。
【００２５】
図４は、本考案に係るウエストポーチの一部を拡大した正面図である。この図に示すように、ウエストポーチ１０の袋状のポーチ本体１は、両方の底部の角部が、前記ファスナー方向に折り曲げられて、折り曲げ部１１が形成されている。この折り曲げ部１１の端部は、図３に示す集束部１２で上述したベルト３ａ、３ｂの端部と、光反射部材９の端部と、ファスナー５の端部とに重ね合わせられ、糸で縫い付けられることによって固定されている。
【００２６】
上述のように、折り曲げ部１１を設けることによって、袋状のポーチ本体１に小物が収容されていない状態や収容されている小物が少ない状態において、袋状のポーチ本体１が大きくならず、コンパクトな形状を維持することができる。
【産業上の利用可能性】
【００２７】
本発明のウエストポーチは、係止具によって、主に使用者の胴部に取り付けられ、ポーチ本体に財布や携帯電話、ペットボトル等の小物を収容する道具として使用される。
【符号の説明】
【００２８】
１  ポーチ本体
２  開口
３ａ、３ｂ  ベルト
４ａ、４ｂ  係止具
５  ファスナー
６ａ、６ｂ、６ｃ  伸縮部材
７ａ、７ｂ、７ｃ、８ａ、８ｂ  蛇腹部
９  光反射部材
１０  ウエストポーチ
１１  折り曲げ部
１２  集束部
１３  調整具
【図１】
2014061018.tif 000003
【図２】
2014061018.tif 000004
【図３】
2014061018.tif 000005
【図４】
2014061018.tif 000006